(57)【要約】  レンズ駆動装置（１０１）は、レンズ保持部材（２）、コイル（３）、磁石（５）、及び下側板ばね（２６）を備えている。コイル（３）は、巻回部（１３）と、巻回部（１３）に繋がる延在部（３３）とを有する。下側板ばね（２６）は、内側部分（２６ｉ）と、外側部分（２６ｅ）と、内側部分（２６ｉ）と外側部分（２６ｅ）との間に設けられる弾性腕部（２６ｇ）とを有する。レンズ保持部材（２）には、保持部（７２Ｂ）が設けられている。コイル（３）の延在部（３３Ｂ）の一部は、保持部（７２Ｂ）に巻かれて巻き付け部（３３ｍ）を構成している。巻き付け部（３３ｍ）と内側部分（２６ｉ）とは半田付けされている。保持部（７２）の外周面のうち、巻き付け部（３３ｍ）に覆われる被覆部分（ＺＮ）は、巻き付け部（３３ｍ）が接触している接触部分（ＺＮ１）と、巻き付け部（３３ｍ）が接触していない非接触部分（ＺＮ２）と、を有する。
2020100601.tif 000002
【特許請求の範囲】
【請求項１】
支持部材と、
レンズ体を保持可能なレンズ保持部材と、
前記レンズ保持部材に保持されたコイルと、
前記コイルに対向する磁石と、
前記支持部材と前記レンズ保持部材とを繋ぐように配置され、前記レンズ保持部材を光軸方向へ移動可能に支持する板ばねと、を備えるレンズ駆動装置であって、
前記コイルは、前記レンズ保持部材の外側に配置されるコイル本体部と、前記コイル本体部に繋がる延在部と、を有し、
前記板ばねは、前記レンズ保持部材に固定される可動側支持部と、前記支持部材に固定される固定側支持部と、前記可動側支持部と前記固定側支持部との間に設けられる弾性腕部と、を有し、
前記レンズ保持部材には、保持部が設けられ、
前記コイルの前記延在部の一部は、前記保持部に巻かれて巻き付け部を構成しており、
前記巻き付け部と前記可動側支持部とは半田付けされ、
前記保持部の外周面のうち、前記巻き付け部に覆われる被覆部分は、前記巻き付け部が接触している接触部分と、前記巻き付け部が接触していない非接触部分と、を有する、
ことを特徴とするレンズ駆動装置。
【請求項２】
前記非接触部分は、前記保持部の外周面に設けられた溝部によって形成されている、
請求項１に記載のレンズ駆動装置。
【請求項３】
前記板ばねの前記可動側支持部は、半田が設けられる接続板部を有し、
前記溝部は、前記巻き付け部を挟んで前記接続板部と対向するように位置する前記保持部の側面に形成されている、
請求項２に記載のレンズ駆動装置。
【請求項４】
前記保持部は、前記接続板部を超えて突出するように形成された多角柱形状をなし、
前記溝部は、前記保持部における、前記接続板部の側を向く側面に形成されている、
請求項３に記載のレンズ駆動装置。
【請求項５】
前記溝部は、幅が深さよりも大きい、
請求項２乃至請求項４の何れかに記載のレンズ駆動装置。
【請求項６】
前記溝部は、前記保持部の突出方向に延在するとともに、前記被覆部分の全長にわたって、或いは、前記保持部の全長にわたって連続するように形成されている、
請求項２乃至請求項５の何れかに記載のレンズ駆動装置。
【請求項７】
請求項１乃至６の何れかに記載のレンズ駆動装置と、
前記レンズ体と、
前記レンズ体に対向する撮像素子と、を有する、
カメラモジュール。
【発明の詳細な説明】
【技術分野】
【０００１】
本開示は、例えばカメラ付き携帯機器等に搭載されるレンズ駆動装置、及び、レンズ駆動装置を含むカメラモジュールに関する。
【背景技術】
【０００２】
従来、レンズ保持部材とレンズ保持部材の外周に配置されるコイルとを含むレンズ駆動装置が知られている（特許文献１参照。）。この装置では、レンズ保持部材は、導電性の板ばねによって光軸方向に移動可能に保持されている。そして、コイルと板ばねとは半田付けによって接続されている。
【先行技術文献】
【特許文献】
【０００３】
【特許文献１】特開２０１５−９９３２２号公報
【発明の概要】
【発明が解決しようとする課題】
【０００４】
レンズ駆動装置では、上述のような半田付けによるコイルと板ばねとの間の接合の信頼性を高めることが望ましい。
【課題を解決するための手段】
【０００５】
本発明の実施形態に係るレンズ駆動装置は、支持部材と、レンズ体を保持可能なレンズ保持部材と、前記レンズ保持部材に保持されたコイルと、前記コイルに対向する磁石と、前記支持部材と前記レンズ保持部材とを繋ぐように配置され、前記レンズ保持部材を光軸方向へ移動可能に支持する板ばねと、を備えるレンズ駆動装置であって、前記コイルは、前記レンズ保持部材の外側に配置されるコイル本体部と、前記コイル本体部に繋がる延在部と、を有し、前記板ばねは、前記レンズ保持部材に固定される可動側支持部と、前記支持部材に固定される固定側支持部と、前記可動側支持部と前記固定側支持部との間に設けられる弾性腕部と、を有し、前記レンズ保持部材には、保持部が設けられ、前記コイルの前記延在部の一部は、前記保持部に巻かれて巻き付け部を構成しており、前記巻き付け部と前記可動側支持部とは半田付けされ、前記保持部の外周面のうち、前記巻き付け部に覆われる被覆部分は、前記巻き付け部が接触している接触部分と、前記巻き付け部が接触していない非接触部分と、を有する。
【発明の効果】
【０００６】
上述の手段により、半田付けの際の熱を延在部（巻き付け部）に伝えることができるので、半田付けによるコイルと板ばねとの間の接合の信頼性が高められたレンズ駆動装置が提供される。
【図面の簡単な説明】
【０００７】
【図１】レンズ駆動装置の分解斜視図である。
【図２Ａ】レンズ駆動装置の上方斜視図である。
【図２Ｂ】レンズ駆動装置の正面図である。
【図３Ａ】レンズ駆動装置の上面図である。
【図３Ｂ】レンズ駆動装置の底面図である。
【図４Ａ】スペーサ及びヨークが省略された状態にあるレンズ駆動装置の上方斜視図である。
【図４Ｂ】スペーサ及びヨークが省略された状態にあるレンズ駆動装置の正面図である。
【図５Ａ】レンズ保持部材の上方斜視図である。
【図５Ｂ】コイルが巻かれた状態にあるレンズ保持部材の上方斜視図である。
【図６Ａ】レンズ保持部材の下方斜視図である。
【図６Ｂ】コイルが巻かれた状態にあるレンズ保持部材の下方斜視図である。
【図７Ａ】レンズ保持部材の上面図である。
【図７Ｂ】レンズ保持部材の側面図である。
【図８Ａ】レンズ保持部材の下方斜視図である。
【図８Ｂ】コイルが巻かれた状態にあるレンズ保持部材の下方斜視図である。
【図９Ａ】レンズ保持部材の一部の拡大図である。
【図９Ｂ】レンズ保持部材の一部の拡大図である。
【図１０Ａ】一部の部材が省略された状態にあるレンズ駆動装置の底面図である。
【図１０Ｂ】一部の部材が省略された状態にあるレンズ駆動装置の底面図である。
【図１１Ａ】上側板ばねの上面図である。
【図１１Ｂ】下側板ばねの上面図である。
【図１２Ａ】レンズ駆動装置における板ばねとコイルとの接続構造を説明する図である。
【図１２Ｂ】レンズ駆動装置における板ばねとコイルとの接続構造を説明する図である。
【図１３Ａ】レンズ駆動装置のベース部材の上方斜視図である。
【図１３Ｂ】下側板ばねが取り付けられた状態にあるベース部材の上方斜視図である。
【図１４Ａ】保持部の斜視図である。
【図１４Ｂ】保持部の斜視図である。
【図１５Ａ】保持部の底面図である。
【図１５Ｂ】保持部の斜視図である。
【図１６Ａ】保持部の底面図である。
【図１６Ｂ】保持部の底面図である。
【図１７Ａ】保持部の斜視図である。
【図１７Ｂ】保持部の斜視図である。
【図１８】保持部の斜視図である。
【図１９Ａ】保持部の斜視図である。
【図１９Ｂ】保持部の斜視図である。
【図２０Ａ】保持部の底面図である。
【図２０Ｂ】保持部の斜視図である。
【図２１Ａ】保持部の底面図である。
【図２１Ｂ】保持部の底面図である。
【図２２Ａ】レンズ保持部材の斜視図である。
【図２２Ｂ】レンズ保持部材の斜視図である。
【図２２Ｃ】レンズ保持部材の斜視図である。
【図２２Ｄ】レンズ保持部材の斜視図である。
【図２３Ａ】図２２Ａのレンズ保持部材における保持部の斜視図である。
【図２３Ｂ】図２２Ｂのレンズ保持部材における保持部の斜視図である。
【図２３Ｃ】図２２Ｃのレンズ保持部材における保持部の斜視図である。
【図２３Ｄ】図２２Ｄのレンズ保持部材における保持部の斜視図である。
【図２４】図２２Ｄのレンズ保持部材における保持部の側面図である。
【発明を実施するための形態】
【０００８】
以下、本発明の実施形態に係るレンズ駆動装置１０１について図面を参照して説明する。図１は、レンズ駆動装置１０１の分解斜視図である。図２Ａは、レンズ駆動装置１０１の上方斜視図であり、図２Ｂは、Ｙ２側から見たレンズ駆動装置１０１の正面図である。図３Ａは、レンズ駆動装置１０１の上面図であり、図３Ｂは、レンズ駆動装置１０１の底面図である。図４Ａは、スペーサ１及びヨーク４を省略した状態のレンズ駆動装置１０１の上方斜視図であり、図２Ａに対応する。図４Ｂは、スペーサ１及びヨーク４を省略した状態のレンズ駆動装置１０１の正面図であり、図２Ｂに対応する。
【０００９】
レンズ駆動装置１０１は、図１に示すように、レンズ体ＬＳを保持可能なレンズ保持部材２と、レンズ保持部材２をレンズ体ＬＳに関する光軸方向ＪＤ（Ｚ軸方向）に沿って移動させる駆動機構ＭＫと、レンズ保持部材２を光軸方向ＪＤに移動可能に支持する板ばね６と、板ばね６が固定される固定側部材ＲＧと、外部との電気的な接続をもたらす端子７とを含む。レンズ体ＬＳは、例えば、少なくとも１枚のレンズを備えた筒状のレンズバレルであり、その中心軸が光軸方向ＪＤに沿うように構成されている。光軸方向ＪＤは、レンズ体ＬＳに関する光軸の方向、及び、その光軸に平行な方向を含む。
【００１０】
駆動機構ＭＫは、図１に示すように、八角環状に巻かれたコイル３と、矩形箱状の外側ケースを兼ねたヨーク４と、コイル３の四辺と対向して配置された４つの磁石５とを含む。固定側部材ＲＧは、スペーサ１と、ヨーク４と、端子７が埋め込まれたベース部材１８とを含む。板ばね６は、レンズ保持部材２とヨーク４との間に配置される上側板ばね１６と、レンズ保持部材２とベース部材１８との間に配置される下側板ばね２６とを含む。下側板ばね２６は、下側板ばね２６Ａ及び下側板ばね２６Ｂを含む。
【００１１】
レンズ駆動装置１０１は、略直方体形状を有し、撮像素子（図示せず。）を実装した基板（図示せず。）の上に取り付けられる。基板と、レンズ駆動装置１０１と、レンズ保持部材２に装着されたレンズ体ＬＳと、レンズ体ＬＳに対向するように基板に実装された撮像素子とはカメラモジュールを構成する。コイル３は、下側板ばね２６、端子７、及び、基板に形成された導体パターンを介して電源に接続される。コイル３に電流が流れると、駆動機構ＭＫは、光軸方向ＪＤに沿った電磁力を発生させる。
【００１２】
レンズ駆動装置１０１は、この電磁力を利用し、撮像素子のＺ１側（被写体側）で、光軸方向ＪＤに沿ってレンズ保持部材２を移動させることで自動焦点調節機能を実現する。具体的には、レンズ駆動装置１０１は、撮像素子から離れる方向にレンズ保持部材２を移動させてマクロ撮影を可能にし、撮像素子に近づく方向にレンズ保持部材２を移動させて無限遠撮影を可能にしている。
【００１３】
次に、レンズ保持部材２と駆動機構ＭＫについて説明する。図５Ａは、レンズ保持部材２の上方斜視図であり、図５Ｂは、図５Ａのレンズ保持部材２にコイル３が巻かれた状態を示すレンズ保持部材２の上方斜視図である。図６Ａは、レンズ保持部材２の下方斜視図であり、図６Ｂは、図６Ａのレンズ保持部材２にコイル３が巻かれた状態を示すレンズ保持部材２の下方斜視図である。図７Ａは、レンズ保持部材２の上面図であり、図７Ｂは、Ｘ１側から見たレンズ保持部材２の側面図である。図８Ａは、レンズ保持部材２の下方斜視図であり、図８Ｂは、図８Ａに示すレンズ保持部材２にコイル３が巻かれた状態を示すレンズ保持部材２の下方斜視図である。図９Ａは、図８Ｂに示す範囲Ｓの拡大図であり、図９Ｂは、図６Ｂに示す範囲Ｐの拡大図である。図１０Ａは、端子７及びベース部材１８の図示が省略された状態のレンズ駆動装置１０１の底面図であり、図１０Ｂは、更に下側板ばね２６Ａ、下側板ばね２６Ｂ、及びレンズ保持部材２の図示が省略された状態のレンズ駆動装置１０１の底面図である。
【００１４】
本実施形態では、レンズ保持部材２は、液晶ポリマー（ＬＣＰ）等の合成樹脂を射出成形することで作製されている。具体的には、レンズ保持部材２は、図５Ａに示すように、光軸方向ＪＤに沿ってレンズ保持部材２を貫通するように形成された孔を囲む筒状部１２と、光軸方向ＪＤにおける撮像素子側（Ｚ２側）の部分に形成されたフランジ部（鍔状部）５２とを含む。筒状部１２は、光軸方向ＪＤにおける被写体側（Ｚ１側）の部分においては、円筒状に形成されている。
【００１５】
筒状部１２には、レンズ体ＬＳが装着されるように、円筒状の内周面にねじ溝が設けられている。また、筒状部１２には、被写体側の端面に２つの窪み１２ｄｈを有した台座部１２ｄが光軸を挟んで２箇所に設けられている。台座部１２ｄには、図４Ａに示すように、上側板ばね１６の内側部分１６ｉが載置される。
【００１６】
筒状部１２の外周面には、図５Ａに示すように、コイル３を内側から支持する外壁部としてのコイル支持部１２ｊが設けられている。本実施形態では、コイル支持部１２ｊは、八角環状のコイル３を支持できるよう、上面視で八角形状の外形を有する。コイル支持部１２ｊの被写体側には、光軸方向ＪＤにおいてフランジ部５２と対向するように径方向外側に突出した庇部１２ｈ（図７Ａ及び図７Ｂ参照。）が４箇所に形成されている。そして、図５Ｂに示すように、コイル３は、コイル支持部１２ｊに支持され且つ光軸方向ＪＤにおいて庇部１２ｈとフランジ部５２との間に挟まれるようにしてレンズ保持部材２の外周面側に八角環状に巻かれている。
【００１７】
フランジ部５２は、筒状部１２の撮像素子側（Ｚ２側）の部分における外周面から径方向外側に突出している。フランジ部５２の被写体側にはコイル３が配置されている。フランジ部５２には、図６Ｂに示すように、レンズ体ＬＳの光軸を挟んで対向するように切欠部５２ｋが２つ形成されている。そして、切欠部５２ｋにはコイル３を構成する導電性の線材の一部である延在部３３が通されている。具体的には、切欠部５２ｋの一方にはコイル３の巻き始め側の線材の一部である延在部３３Ａが通され、切欠部５２ｋの他方にはコイル３の巻き終わり側の線材の一部である延在部３３Ｂが通されている。切欠部５２ｋを形成するフランジ部５２の縁部は、湾曲するように構成されている。縁部と接するコイル３の線材が断線するのを防止し或いは抑制するためである。
【００１８】
フランジ部５２は、図６Ａに示すように、撮像素子側（Ｚ２側）の面から下方（Ｚ２方向）に突出した、略角形凸状の突出部としての２つの保持部７２と、丸形凸状の６つの突設部２ｔとを含む。
【００１９】
保持部７２は、図６Ｂに示すように、コイル３（巻回部１３）の巻き始め側に対応する保持部７２Ａと、コイル３の巻き終わり側に対応する保持部７２Ｂを含む。コイル３の両端は、保持部７２に巻き付けられて保持されている。
【００２０】
突設部２ｔは、図６Ａ及び図１０Ａに示すように、下側板ばね２６Ａに対応する３つの突設部２ｔと、下側板ばね２６Ｂに対応する３つ突設部２ｔとを含む。突設部２ｔには、下側板ばね２６Ａ及び下側板ばね２６Ｂのそれぞれの可動側支持部としての内側部分２６ｉが装着されて固定されている。下側板ばね２６Ａ及び下側板ばね２６Ｂのそれぞれの内側部分２６ｉの固定は、内側部分２６ｉに形成された貫通孔に挿通された突設部２ｔを熱かしめすることによって実現される。図６Ａ及び図１０Ａでは、突設部２ｔは、熱かしめされた後の先端が変形した状態で図示されている。突設部２ｔを図示する他の図についても同様である。
【００２１】
次に、レンズ駆動装置１０１の駆動機構ＭＫについて説明する。駆動機構ＭＫは、図１０Ｂに示すように、コイル３と、ヨーク４と、ヨーク４の四辺のそれぞれと対向するように配置された４つの磁石５とを含む。そして、駆動機構ＭＫは、コイル３に流れる電流と磁石５が発生する磁界とで駆動力（推力）を発生させ、レンズ保持部材２を光軸方向ＪＤに沿って上下に移動させる。
【００２２】
コイル３は、図６Ｂに示すように、レンズ保持部材２の外周に導電性（金属製）の線材（導線）を巻回して形成されている。コイル３は、八角環状に巻かれて形成されたコイル本体部としての巻回部１３と、巻回部１３から延びて保持部７２に巻き付けられる延在部３３とを含む。図６Ｂは、明瞭化のため、巻回部１３に関しては、絶縁部材で表面を被覆された導電性の線材の詳細な巻回状態の図示を省略している。すなわち、図６Ｂは、線材の詳細な巻回状態を簡略化して示している。巻回部１３を図示する他の図についても同様である。
【００２３】
延在部３３は、コイル３の巻き始め側で巻回部１３の内周側に位置する巻回部１３の端部（巻き始め部分）に繋がっている延在部３３Ａと、コイル３の巻き終わり側で巻回部１３の外周側に位置する巻回部１３の端部（巻き終わり部分）に繋がっている延在部３３Ｂとを含む。
【００２４】
具体的には、延在部３３Ａは、図９Ａに示すように、保持部７２Ａに巻き付けられる巻き付け部３３ｍと、フランジ部５２の底面（Ｚ２側の面）と対向して延びる対向部３３ｃと、切欠部５２ｋに挿通されてフランジ部５２の撮像素子側（Ｚ２側）から被写体側（Ｚ１側）に延びる挿通部３３ｋとを含む。延在部３３Ｂは、図９Ｂに示すように、保持部７２Ｂに巻き付けられる巻き付け部３３ｍと、フランジ部５２の底面（Ｚ２側の面）と対向して延びる対向部３３ｃと、切欠部５２ｋに挿通されてフランジ部５２の撮像素子側（Ｚ２側）から被写体側（Ｚ１側）に延びる挿通部３３ｋとを含む。
【００２５】
本実施形態では、延在部３３Ａは、コイル３を構成する線材がレンズ保持部材２の外周に巻き付けられる前に、レンズ保持部材２の保持部７２Ａに巻き付けられる。図９Ａに示す例では、コイル３を構成する線材の一部が保持部７２Ａに３ターン巻き付けられている。これにより、巻き付け部３３ｍが保持部７２Ａに形成され、延在部３３Ａの一部が保持部７２Ａに保持される。但し、延在部３３Ａは、コイル３を構成する線材がレンズ保持部材２の外周に巻き付けられた後で、保持部７２Ａに巻き付けられてもよい。
【００２６】
コイル３を構成する線材の一部が保持部７２Ａに巻き付けられた後で、レンズ保持部材２の外周に線材が巻き付けられる。その際には、図９Ａに示すように、巻き付け部３３ｍから延びる線材は、フランジ部５２の底面に沿って延び、且つ、フランジ部５２の下側から切欠部５２ｋを通ってフランジ部５２の上側に延びる。このとき、フランジ部５２の底面に沿う部分が延在部３３Ａの対向部３３ｃを構成し、切欠部５２ｋを通る部分が延在部３３Ａの挿通部３３ｋを構成する。
【００２７】
延在部３３Ａの挿通部３３ｋは、フランジ部５２の下側から上側に延びる際、図９Ａに示すように、フランジ部５２の縁部に接するように構成されている。そのため、落下等により強い衝撃がレンズ駆動装置１０１に加えられた際には、コイル３の延在部３３Ａはフランジ部５２の縁部に押し付けられる。本実施形態では、フランジ部５２の縁部は湾曲するように構成されている。そのため、延在部３３Ａは、フランジ部５２の縁部で切断され難い。延在部３３Ｂと接するフランジ部５２の縁部も湾曲するように構成されていてもよい。
【００２８】
レンズ保持部材２の外周に巻回されたコイル３の巻回部１３は、図５Ｂに示すように、レンズ保持部材２の周囲を囲む位置に配置されている。また、巻回部１３は、コイル支持部１２ｊ（図５Ａ参照。）により内側から支持された状態で、庇部１２ｈとフランジ部５２に挟まれるようにして、フランジ部５２の被写体側に固定されている。また、巻回部１３の内周面がコイル支持部１２ｊにより等方的にバランス良く支持されるため、巻回部１３は、コイル３の中心軸とレンズ保持部材２の中心軸とが一致した状態で、レンズ保持部材２に保持される。したがって、レンズ保持部材２に保持されたレンズ体ＬＳの光軸は、レンズ保持部材２及びコイル３のそれぞれの中心軸と容易に一致するように構成されている。
【００２９】
レンズ保持部材２の外周への線材の巻き付けが終了すると、巻回部１３の巻き終わり側の端部に繋がる延在部３３Ｂは、図９Ｂに示すように、フランジ部５２の被写体側から切欠部５２ｋを介してフランジ部５２の撮像素子側に引き出される。具体的には、挿通部３３ｋが切欠部５２ｋを通過し、対向部３３ｃがフランジ部５２の底面に沿って延び、巻き付け部３３ｍがレンズ保持部材２の保持部７２Ｂに巻き付けられる。図９Ｂに示す例では、延在部３３Ｂは、保持部７２Ｂに３ターン巻き付けられている。
【００３０】
次に、駆動機構ＭＫを構成するヨーク４について説明する。本実施形態では、ヨーク４は、鉄等の軟磁性体材料で形成された板材に抜き加工及び絞り加工等を施して作製されている。具体的には、図１に示すように、収納部４ｓを定める箱状の外形を有する。そして、ヨーク４は、矩形筒状の外壁部４Ａと、外壁部４Ａの上端（Ｚ１側の端）と連続するように設けられた平板状且つ矩形環状の上面部４Ｂとを有する。このように構成されたヨーク４は、図１０Ｂに示すように、コイル３及び磁石５を収納部４ｓに収容し、且つ、図２Ａ及び図２Ｂに示すように、ベース部材１８に結合されてベース部材１８とともに筐体を構成する。但し、ヨーク４は、オーステナイト系ステンレス鋼等の非磁性体で形成されたカバーで置き換えられてもよい。
【００３１】
次に、駆動機構ＭＫを構成する磁石５について説明する。磁石５は、図１に示すように略直方体形状を有する。そして、４つの磁石５は、図１０Ｂに示すように、コイル３の外側に位置するとともに、ヨーク４を構成する矩形筒状の外壁部４Ａの四面のそれぞれに沿うように配置されている。そして、磁石５は、接着剤により、ヨーク４に固定されている。また、磁石５は、例えば、内側がＮ極、外側がＳ極となるように配置されている。磁石５は、内側がＳ極、外側がＮ極となるように配置されてもよい。
【００３２】
次に、板ばね６及び固定側部材ＲＧについて説明する。図１１Ａ及び図１１Ｂは、板ばね６を説明する図である。具体的には、図１１Ａは、上側板ばね１６の上面図であり、図１１Ｂは、下側板ばね２６の上面図である。図１２Ａ及び図１２Ｂは、下側板ばね２６Ａとコイル３との接続構造の一例を説明する図である。具体的には、図１２Ａは、図１０Ａに示す範囲Ｔの拡大図であり、図１２Ｂは、図１０Ａに示す範囲ＴをＸ２側から見たときの下側板ばね２６Ａ、コイル３、及びレンズ保持部材２の拡大図である。なお、図１２Ａ及び図１２Ｂでは、説明を分かり易くするため、半田ＳＤがクロスハッチングで示されている。図１３Ａ及び図１３Ｂは、固定側部材ＲＧを構成しているベース部材１８を説明する図である。具体的には、図１３Ａは、ベース部材１８の上方斜視図であり、図１３Ｂは、下側板ばね２６Ａ及び下側板ばね２６Ｂが組み付けられた状態のベース部材１８の上方斜視図である。
【００３３】
板ばね６は、銅合金を主な材料とした金属板から作製されている。板ばね６は、図１に示すように、レンズ保持部材２とヨーク４（厳密にはスペーサ１）との間に配置される上側板ばね１６と、レンズ保持部材２とベース部材１８との間に配置される下側板ばね２６Ａ及び下側板ばね２６Ｂとを含む。レンズ保持部材２と板ばね６（上側板ばね１６、下側板ばね２６Ａ、及び下側板ばね２６Ｂ）のそれぞれとが係合された状態で、板ばね６は、レンズ保持部材２が光軸方向ＪＤ（Ｚ軸方向）へ移動可能となるように、レンズ保持部材２を支持している。下側板ばね２６Ａ及び下側板ばね２６Ｂは、コイル３に電流を供給するための給電部材としても機能する。そのため、下側板ばね２６Ａはコイル３の一端に電気的且つ機械的に接続され、下側板ばね２６Ｂはコイル３の他端に電気的且つ機械的に接続されている。上側板ばね１６とヨーク４との間にはスペーサ１が配置されている。スペーサ１は、レンズ保持部材２がＺ１方向に移動したときにレンズ保持部材２とヨーク４とが衝突するのを防止できるように配置されている。但し、スペーサ１は省略されてもよい。
【００３４】
上側板ばね１６は、図１１Ａに示すように、略矩形状を有し、レンズ保持部材２に固定される可動側支持部としての２つの内側部分１６ｉと、固定側部材ＲＧに固定される固定側支持部としての外側部分１６ｅと、内側部分１６ｉと外側部分１６ｅとの間に位置する４つの弾性腕部１６ｇとを含む。具体的には、２つの内側部分１６ｉは、中心を挟んで対向するように設けられている。外側部分１６ｅは、４つの角部分１６ｂと、隣り合う２つの角部分１６ｂを繋ぐ４つの桟部１６ｒとを有している。４つの桟部１６ｒのそれぞれは、スペーサ１と磁石５とで挟持されて接着剤で固定される。スペーサ１、ヨーク４、及び磁石５は、固定側部材ＲＧとして機能する。
【００３５】
上側板ばね１６がレンズ駆動装置１０１に組み込まれる際には、図４Ａに示すように、内側部分１６ｉは、レンズ保持部材２の台座部１２ｄ（図５Ａ参照。）に載置される。そして、内側部分１６ｉと台座部１２ｄとが接着剤ＡＤ（図４Ａ参照。）で固定されることにより、内側部分１６ｉはレンズ保持部材２に固定される。外側部分１６ｅは、図４Ｂに示すように、磁石５の上面（Ｚ１側の面）に接し、スペーサ１（図示せず。）と磁石５との間に挟持されて固定される。
【００３６】
上側板ばね１６は、図１１Ａに示すように、略左右対称に形成されている。そして、上側板ばね１６は、内側部分１６ｉでレンズ保持部材２に固定され、外側部分１６ｅでスペーサ１を介してヨーク４に固定されている。そのため、上側板ばね１６は、レンズ保持部材２をバランス良く支持できる。
【００３７】
下側板ばね２６Ａ及び下側板ばね２６Ｂは、図１１Ｂに示すように、それぞれの内側形状が略半円形状となるように構成されている。そして、下側板ばね２６Ａ及び下側板ばね２６Ｂのそれぞれは、レンズ保持部材２に固定される可動側支持部としての内側部分２６ｉと、固定側部材ＲＧに固定される固定側支持部としての外側部分２６ｅと、内側部分２６ｉと外側部分２６ｅとの間に位置する弾性腕部２６ｇとを含む。
【００３８】
下側板ばね２６Ａ及び下側板ばね２６Ｂのそれぞれの内側部分２６ｉは、図１１Ｂに示すように、レンズ保持部材２と係合される３つの内側接合部分２６ｃと、３つの内側接合部分２６ｃの間を繋ぐ２つの第１連結部２６ｐと、コイル３の延在部３３と対向する接続板部２６ｈとを含む。
【００３９】
下側板ばね２６Ａ及び下側板ばね２６Ｂがレンズ駆動装置１０１に組み込まれる際には、図６Ａに示すレンズ保持部材２の６つの突設部２ｔのそれぞれは、図１１Ｂに示す下側板ばね２６Ａ及び下側板ばね２６Ｂのそれぞれの内側接合部分２６ｃに設けられた円形の貫通孔に挿通されて嵌合される。これにより、下側板ばね２６Ａ及び下側板ばね２６Ｂのそれぞれの内側部分２６ｉは、レンズ保持部材２に位置決めされ且つ固定される。下側板ばね２６Ａ及び下側板ばね２６Ｂは、例えば、レンズ保持部材２の突設部２ｔに熱かしめ又は冷間かしめを施すことで、レンズ保持部材２に固定される。
【００４０】
以下では、主に下側板ばね２６Ａとレンズ保持部材２及びコイル３との関係を説明する。但し、下側板ばね２６Ａに関する説明は、下側板ばね２６Ｂにも同様に適用される。
【００４１】
下側板ばね２６Ａの内側部分２６ｉの接続板部２６ｈは、図１２Ａ及び図１２Ｂに示すように、レンズ駆動装置１０１が組み立てられた際には、レンズ保持部材２の底面（Ｚ２側の面）と対向する。そして、コイル３の延在部３３Ａの対向部３３ｃは、図１２Ｂに示すように、下側板ばね２６Ａの内側部分２６ｉの被写体側（Ｚ１側）の面とレンズ保持部材２のフランジ部５２の撮像素子側（Ｚ２側）の面との間を通って延びる。
【００４２】
下側板ばね２６Ａがレンズ保持部材２に組み付けられた際には、図１２Ｂに示すように、保持部７２Ａは、その先端が下側板ばね２６Ａの内側部分２６ｉの撮像素子側（Ｚ２側）に位置するように、内側部分２６ｉよりも下方（Ｚ２方向）に突出している。また、巻き付け部３３ｍの一部も内側部分２６ｉの撮像素子側（Ｚ２側）に位置するように保持部７２Ａに巻き付けられている。
【００４３】
下側板ばね２６Ａとコイル３の延在部３３Ａとは、半田ＳＤで電気的且つ機械的に接続されている。具体的には、レンズ保持部材２の突設部２ｔが熱かしめされた後、接続板部２６ｈの撮像素子側（Ｚ２側）の面に、延在部３３Ａの巻き付け部３３ｍと接触するように半田ペーストが塗布される。半田ペーストは、クリーム半田とも称される。その後、レーザビームで半田ペーストが加熱溶融され、下側板ばね２６Ａと延在部３３Ａとが半田ＳＤで接合される。半田ペーストの塗布から半田ＳＤによる接合までは、保持部７２が鉛直上方に突出するようにレンズ保持部材２が逆さまにされた状態で行われる。そのため、レーザビームによって溶融された半田ペーストは、流動性を有する場合であっても、所望の位置（接続板部２６ｈの上）に適切に保持され得る。
【００４４】
下側板ばね２６Ａの外側部分２６ｅは、図１１Ｂに示すように、ベース部材１８と係合される２つの外側接合部分２６ｄと、２つの外側接合部分２６ｄを繋ぐ第２連結部２６ｑとを含む。下側板ばね２６Ａの外側接合部分２６ｄに設けられた貫通孔は、ベース部材１８の上面に設けられた突設部１８ｔ（図１３Ａ参照。）と嵌合する。これにより、下側板ばね２６Ａの外側部分２６ｅは、ベース部材１８に位置決めされ且つ固定される。
【００４５】
下側板ばね２６Ａ及び下側板ばね２６Ｂは、図１１Ｂに示すように、互いに略左右対称となるように形成されている。そして、下側板ばね２６Ａは、３つの内側接合部分２６ｃでレンズ保持部材２に接続され、２つの外側接合部分２６ｄでベース部材１８に接続されている。下側板ばね２６Ｂについても同様である。この構成により、下側板ばね２６Ａ及び下側板ばね２６Ｂは、レンズ保持部材２を光軸方向ＪＤへ移動可能な状態でバランス良く支持することができる。
【００４６】
次に、固定側部材ＲＧについて説明する。固定側部材ＲＧは、上側板ばね１６を固定するスペーサ１、ヨーク４、及び磁石５と、下側板ばね２６Ａ及び下側板ばね２６Ｂのそれぞれを固定するベース部材１８とを含む。
【００４７】
ベース部材１８は、液晶ポリマー等の合成樹脂を用いた射出成形によって作製される。本実施形態では、ベース部材１８は、図１３Ａに示すように、矩形板状の外形を有する部材であり、中央に円形の開口１８ｋが形成されている。また、ベース部材１８の被写体側（Ｚ１側）の面（上面）には、上方に向けて突出する６つの突設部１８ｔが設けられている。突設部１８ｔは、下側板ばね２６Ａ及び下側板ばね２６Ｂのそれぞれにおける外側接合部分２６ｄに設けられた貫通孔に挿通され且つ嵌合される。この際、突設部１８ｔは熱かしめが施されて外側接合部分２６ｄに固定される。図１３Ａ及び図１３Ｂでは、突設部１８ｔは、熱かしめされた後の先端が変形した状態で図示されている。突設部１８ｔは冷間かしめが施されて外側接合部分２６ｄに固定されてもよい。
【００４８】
ベース部材１８には、図１３Ａに示すように、銅若しくは鉄又はそれらを主成分とする合金等の材料を含む金属板から形成された端子７がインサート成形されて埋め込まれている。端子７は、端子７Ａ及び端子７Ｂを含み、端子７Ａ及び端子７Ｂのそれぞれは、一部がベース部材１８の上面（Ｚ１側の面）に露出している。そして、互いに電気的に絶縁されている端子７Ａ及び端子７Ｂのそれぞれは、撮像素子を実装した基板（図示せず。）の導体パターンに電気的且つ機械的に接続されている。また、端子７Ａは、その露出部分において下側板ばね２６Ａに電気的且つ機械的に接続され、端子７Ｂは、その露出部分において下側板ばね２６Ｂに電気的且つ機械的に接続されている。更に、下側板ばね２６Ａはコイル３の一端に電気的且つ機械的に接続され、下側板ばね２６Ｂはコイル３の他端に電気的且つ機械的に接続されている。そのため、コイル３は、端子７と下側板ばね２６Ａ及び下側板ばね２６Ｂとを介して電源から電流の供給を受けることができる。
【００４９】
ベース部材１８には、端子７と同様に、銅若しくは鉄又はそれらを主成分とする合金等の材料を含む金属板から形成された接続部材５７もインサート成形されて埋め込まれている。接続部材５７は、図２Ａ及び図２Ｂに示すように、ヨーク４の四隅の下端部に対応する位置で、ベース部材１８から一部を露出させている。ベース部材１８は、ヨーク４の四隅の下端部の内面とベース部材１８における４つの角部の外周側面とが組み合わさって位置決めされた後で、４つの接続部材５７とヨーク４の四隅の下端部とが溶接されてヨーク４に固定される。ヨーク４とベース部材１８とは少なくとも部分的に接着剤で固定されてもよい。
【００５０】
次に、図１４Ａ、図１４Ｂ、図１５Ａ、図１５Ｂ、図１６Ａ、図１６Ｂ、図１７Ａ、及び図１７Ｂを参照し、保持部７２の詳細について説明する。図１４Ａ及び図１４Ｂは、巻回部１３の巻き終わり側の端部に繋がる延在部３３Ｂ（巻き付け部３３ｍ）が巻き付けられる保持部７２Ｂの斜視図である。図１４Ａ及び図１４Ｂは、互いに異なる方向から保持部７２Ｂを見たときの保持部７２Ｂの状態を示している。図１５Ａ及び図１５Ｂは、延在部３３Ｂが巻き付けられた状態にある保持部７２Ｂを示す。図１５Ａは、延在部３３Ｂが巻き付けられた保持部７２Ｂの底面図である。図１５Ｂは、延在部３３Ｂが巻き付けられた保持部７２Ｂの斜視図であり、図１４Ａに対応する。図１６Ａ及び図１６Ｂは、保持部７２Ｂと下側板ばね２６Ｂとの関係を示す。図１６Ａは、レンズ保持部材２に下側板ばね２６Ｂが取り付けられたときの保持部７２Ｂの底面図である。図１６Ｂは、下側板ばね２６Ｂに半田ペーストＳＤＰが塗布されたときの保持部７２Ｂの底面図であり、図１０Ａに示す範囲Ｕの拡大図に相当する。図１７Ａ及び図１７Ｂは、保持部７２Ｂと下側板ばね２６Ｂとの関係を示す。図１７Ａ及び図１７Ｂは、図１５Ｂに対応している。図１７Ａは、レンズ保持部材２に下側板ばね２６Ｂが取り付けられたときの保持部７２Ｂの斜視図である。図１７Ｂは、下側板ばね２６Ｂに半田ペーストＳＤＰが塗布されたときの保持部７２Ｂの斜視図である。以下では、主に保持部７２Ｂに関連する構成を説明する。但し、以下の説明は、巻回部１３の巻き始め側の端部に繋がる延在部３３Ａが巻き付けられる保持部７２Ａに関連する構成にも同様に適用される。
【００５１】
保持部７２Ｂは、レンズ保持部材２の光軸方向ＪＤにおける一端部から、他端部がある側とは反対の側に向かって突出している。すなわち、保持部７２Ｂは、レンズ保持部材２の撮像素子側（Ｚ２側）の端面から光軸方向ＪＤに沿ってＺ２方向に突出するように構成されている。具体的には、保持部７２Ｂは、図１４Ａ及び図１４Ｂに示すように、４つの側面（第１側面Ｓ１〜第４側面Ｓ４）と端面ＳＴとを有する略四角柱形状をなしている。
【００５２】
第１側面Ｓ１〜第３側面Ｓ３は平坦面で形成されている。第４側面Ｓ４及び端面ＳＴには、溝部ＧＲが形成されている。溝部ＧＲは、保持部７２Ｂの突出方向である光軸方向ＪＤに沿って延在するとともに、Ｚ軸方向における保持部７２Ｂの全長ＨＴ（図１４Ａ参照。）にわたって連続するように形成されている。そのため、第４側面Ｓ４は、２つの平坦面Ｓ４ａ及びＳ４ｂに分割されている。また、端面ＳＴは、凹状の輪郭を有する平坦面で形成されている。但し、第１側面Ｓ１、第２側面Ｓ２、第３側面Ｓ３、平坦面Ｓ４ａ、平坦面Ｓ４ｂ、及び端面ＳＴの少なくとも１つは、凸曲面等の他の面形状であってもよい。
【００５３】
巻き付け部３３ｍは、図１５Ａ及び図１５Ｂに示すように、４つの角部ＣＮと４つの辺部ＥＧとを形成するように保持部７２Ｂに３ターン巻き付けられている。角部ＣＮは、第１角部ＣＮ１〜第４角部ＣＮ４を含む。辺部ＥＧは、第１辺部ＥＧ１〜第４辺部ＥＧ４を含む。第１辺部ＥＧ１は、第１側面Ｓ１と接触するように配置され、第２辺部ＥＧ２は、第２側面Ｓ２と接触するように配置され、第３辺部ＥＧ３は、第３側面Ｓ３と接触するように配置されている。第４辺部ＥＧ４は、第４側面Ｓ４を構成する平坦面Ｓ４ａ及びＳ４ｂと接触するように配置されている。
【００５４】
保持部７２Ｂの外周面を構成する第１側面Ｓ１〜第４側面Ｓ４のうち、延在部３３Ｂの巻き付け部３３ｍによって覆われる被覆部分ＺＮは、巻き付け部３３ｍが接触している接触部分ＺＮ１と、巻き付け部３３ｍが接触していない非接触部分ＺＮ２とを有する。図１４Ａ及び図１４Ｂでは、接触部分ＺＮ１にはメッシュパターンが付され、非接触部分ＺＮ２には細かいドットパターンが付されている。図１４Ａから明らかなように、非接触部分ＺＮ２は、保持部７２Ｂの外周面の一部である第４側面Ｓ４に設けられた溝部ＧＲによって形成されている。
【００５５】
溝部ＧＲは、図１５Ａに示すように、Ｙ軸方向に沿った長さである深さＤ１と、Ｘ軸方向に沿った長さである幅Ｗ１とを有する。幅Ｗ１は、望ましくは、深さＤ１よりも大きくなるように形成されている。非接触部分ＺＮ２に対向する巻き付け部３３ｍの面積、すなわち、巻き付け部３３ｍのうちの保持部７２Ｂと接触しない部分の面積ができるだけ大きくなるようにするためである。すなわち、接触部分ＺＮ１の面積である、保持部７２Ｂと巻き付け部３３ｍとの接触面積ができるだけ小さくなるようにするためである。具体的には、巻き付け部３３ｍを安定的に保持できる強度を保持部７２Ｂが確保できる限りにおいてその接触面積が最も小さくなるようにするためである。なお、接触部分ＺＮ１の面積を小さくすることによる効果は後述される。
【００５６】
下側板ばね２６Ｂは、延在部３３Ｂ（巻き付け部３３ｍ）が保持部７２Ｂに巻き付けられた後で、レンズ保持部材２に取り付けられる。下側板ばね２６Ｂは、図１６Ａに示すように、半田ペーストＳＤＰが塗布される接続板部２６ｈを含む。接続板部２６ｈは、保持部７２ＢのＹ２側で、保持部７２Ｂに巻き付けられた延在部３３Ｂの巻き付け部３３ｍと隣り合うように配置されている。接続板部２６ｈは、望ましくは、巻き付け部３３ｍと接触しないように配置されるが、接続板部２６ｈが巻き付け部３３ｍと重ならない限りにおいて、すなわち、下側板ばね２６Ｂがレンズ保持部材２に取り付けられたときに内側部分２６ｉが浮き上がらない限りにおいて、巻き付け部３３ｍに接触していてもよい。
【００５７】
接続板部２６ｈに塗布された半田ペーストＳＤＰは、半田粉末（半田ＳＤ）とフラックスの混合物であり、レーザビームが照射されるとフラックスが蒸発し且つ半田ＳＤが溶融する。図１６Ｂは、レーザビームが照射される前の半田ペーストＳＤＰを示す。溶融した半田ＳＤは、図１２Ａに示すように、その後固化して接続板部２６ｈと巻き付け部３３ｍとを接合する。
【００５８】
本実施形態では、下側板ばね２６Ｂの接続板部２６ｈは、図１６Ａに示すように、保持部７２Ｂの第４側面Ｓ４に対向するように配置されている。すなわち、接続板部２６ｈは、保持部７２Ｂに巻き付けられた巻き付け部３３ｍの第４辺部ＥＧ４と対向するように配置されている。また、接続板部２６ｈは、図１７Ａに示すように、巻き付け部３３ｍの少なくとも一部が接続板部２６ｈよりも下側（Ｚ２側）に位置するように配置される。
【００５９】
半田ペーストＳＤＰは、複数の第４辺部ＥＧ４の少なくとも１つに付着するように接続板部２６ｈに塗布される。本実施形態では、半田ペーストＳＤＰは、図１６Ｂ及び図１７Ｂに示すように、３つの第４辺部ＥＧ４の全てに付着するように塗布されている。
【００６０】
上述のような構成を有するレンズ駆動装置１０１では、レンズ保持部材２に下側板ばね２６Ｂが組み付けられた後で、巻き付け部３３ｍと隣り合うように配置された下側板ばね２６Ｂの接続板部２６ｈに半田ペーストＳＤＰが塗布される。
【００６１】
その後、半田ペーストＳＤＰがレーザビームによって加熱されて接続板部２６ｈと巻き付け部３３ｍとが半田付けされる。図１６Ｂの破線円ＳＰは、半田ペーストＳＤＰに照射されるレーザビームのスポットを表している。半田ペーストＳＤＰに照射されるレーザビームを発生させるレーザ発生装置は、例えば、ＰＷＭ方式によって制御される。なお、レーザビームは、接続板部２６ｈに向けて照射されてもよい。
【００６２】
具体的には、レーザビームによって半田ペーストＳＤＰが加熱されると、接続板部２６ｈ及び巻き付け部３３ｍは、半田ペーストＳＤＰを介した熱伝導によって加熱される。このとき、巻き付け部３３ｍを構成する第４辺部ＥＧ４は、図１７Ｂに示すように、第４側面Ｓ４を構成する２つの平坦面Ｓ４ａ及びＳ４ｂに接触しているが、溝部ＧＲが形成された部分には接触していない。そのため、溝部ＧＲを有する保持部７２Ｂは、溝部ＧＲを有しない構成に比べ、巻き付け部３３ｍに伝わった熱が保持部７２Ｂを介して散逸してしまうのを抑制できる。すなわち、溝部ＧＲを有する保持部７２Ｂは、巻き付け部３３ｍを加熱する際の加熱効率の低下を抑制できる。その結果、巻き付け部３３ｍは、半田付けに適した温度まで速やかに加熱される。また、巻き付け部３３ｍは、適切な時間にわたって半田付けに適した温度で維持される。そして、接続板部２６ｈと巻き付け部３３ｍと半田ＳＤとは、保持部７２Ｂが溝部ＧＲを有しない場合に比べ、少ない熱で接合され得る。更に、接続板部２６ｈと巻き付け部３３ｍとの温度差に起因するフラックスの突沸による半田ＳＤの散逸、及び、接続板部２６ｈでの半田ＳＤの不要な拡散が効果的に抑制される。また、半田ＳＤの巻き付け部３３ｍへの付着性が高められ、ひいては、半田付けによる巻き付け部３３ｍと下側板ばね２６Ｂとの間の接合の信頼性が高められる。
【００６３】
溝部ＧＲは、保持部７２Ｂの全長ＨＴ（図１４Ａ参照。）ではなく、延在部３３Ｂの巻き付け部３３ｍによって覆われる被覆部分ＺＮの全長ＨＴａ（図１４Ａ参照。）にわたって連続するように形成されていてもよい。具体的には、溝部ＧＲは、図１８に示すように、被覆部分ＺＮの全長ＨＴａに相当する高さの凹部であってもよい。
【００６４】
次に、図１９Ａ、図１９Ｂ、図２０Ａ、及び図２０Ｂを参照し、保持部７２の別の構成例について説明する。図１９Ａ及び図１９Ｂは、コイル３の巻き終わり側に対応する保持部７２Ｂの斜視図であり、図１９Ａは、図１４Ａに対応し、図１９Ｂは、図１４Ｂに対応する。図１９Ａ及び図１９Ｂは、互いに異なる方向から保持部７２Ｂを見たときの保持部７２Ｂの状態を示している。図２０Ａ及び図２０Ｂは、コイル３の延在部３３Ｂが巻き付けられた状態にある保持部７２Ｂを示し、図２０Ａは、図１５Ａに対応し、図２０Ｂは、図１５Ｂに対応する。図２０Ａは、延在部３３Ｂが巻き付けられた保持部７２Ｂの底面図である。図２０Ｂは、延在部３３Ｂが巻き付けられた保持部７２Ｂの斜視図であり、図１９Ａにも対応している。
【００６５】
図１９Ａ及び図１９Ｂにおける保持部７２Ｂは、第１側面Ｓ１〜第４側面Ｓ４のそれぞれに溝部ＧＲが形成されている点で、第４側面Ｓ４のみに溝部ＧＲが形成されている図１４Ａ及び図１４Ｂにおける保持部７２Ｂと異なる。
【００６６】
具体的には、第１側面Ｓ１には第１溝部ＧＲ１が形成され、第２側面Ｓ２には第２溝部ＧＲ２が形成され、第３側面Ｓ３には第３溝部ＧＲ３が形成され、第４側面Ｓ４には第４溝部ＧＲ４が形成されている。
【００６７】
そのため、第１側面Ｓ１は、２つの平坦面Ｓ１ａ及びＳ１ｂに分割され、第２側面Ｓ２は、２つの平坦面Ｓ２ａ及びＳ２ｂに分割され、第３側面Ｓ３は、２つの平坦面Ｓ３ａ及びＳ３ｂに分割され、第４側面Ｓ４は、２つの平坦面Ｓ４ａ及びＳ４ｂに分割されている。また、端面ＳＴは、略十字状又は略Ｘ字状の輪郭を有する平坦面で形成されている。
【００６８】
そして、巻き付け部３３ｍの第１辺部ＥＧ１は、図２０Ａに示すように、第１側面Ｓ１を構成する平坦面Ｓ１ａ及びＳ１ｂと接触するように配置され、第２辺部ＥＧ２は、第２側面Ｓ２を構成する平坦面Ｓ２ａ及びＳ２ｂと接触するように配置され、第３辺部ＥＧ３は、第３側面Ｓ３を構成する平坦面Ｓ３ａ及びＳ３ｂと接触するように配置され、第４辺部ＥＧ４は、第４側面Ｓ４を構成する平坦面Ｓ４ａ及びＳ４ｂと接触するように配置されている。
【００６９】
したがって、延在部３３Ｂの巻き付け部３３ｍによって覆われる被覆部分ＺＮは、図１９Ａ及び図１９Ｂに示すように、８つの平坦面Ｓ１ａ、Ｓ１ｂ、Ｓ２ａ、Ｓ２ｂ、Ｓ３ａ、Ｓ３ｂ、Ｓ４ａ、及びＳ４ｂのそれぞれにおける接触部分ＺＮ１と、第１溝部ＧＲ１〜第４溝部ＧＲ４のそれぞれによって形成される非接触部分ＺＮ２とを有する。
【００７０】
この構成により、図１９Ａ及び図１９Ｂにおける保持部７２Ｂは、図１４Ａ及び図１４Ｂにおける保持部７２Ｂに比べ、巻き付け部３３ｍに伝わった熱が保持部７２Ｂを介して散逸してしまうのを更に抑制できる。そのため、巻き付け部３３ｍは、半田付けに適した温度まで速やかに加熱され、且つ、適切な時間にわたって半田付けに適した温度で維持される。
【００７１】
なお、図１９Ａ及び図１９Ｂにおける保持部７２Ｂでは、４つの側面の全てに溝部ＧＲが形成されているが、４つの側面のうちの１つ、２つ又は３つの側面に溝部ＧＲが形成されていてもよい。
【００７２】
次に、図２１Ａ及び図２１Ｂを参照し、保持部７２の更に別の構成例について説明する。図２１Ａ及び図２１Ｂは、コイル３の巻き終わり側に対応する保持部７２Ｂの底面図である。図２１Ａ及び図２１Ｂでは、保持部７２Ｂの外周面における非接触部分ＺＮ２の位置を太実線で示している。
【００７３】
図２１Ａの保持部７２Ｂは、第３側面Ｓ３と第４側面Ｓ４との間に第１溝部ＧＲ１が形成され、且つ、第４側面Ｓ４と第１側面Ｓ１との間に第２溝部ＧＲ２が形成されている点で、図１４Ａ及び図１４Ｂの保持部７２Ｂと異なる。図２１Ｂの保持部７２Ｂは、第１側面Ｓ１と第２側面Ｓ２との間に第１溝部ＧＲ１が形成され、第２側面Ｓ２と第３側面Ｓ３との間に第２溝部ＧＲ２が形成され、第３側面Ｓ３と第４側面Ｓ４との間に第３溝部ＧＲ３が形成され、且つ、第４側面Ｓ４と第１側面Ｓ１との間に第４溝部ＧＲ４が形成されている点で、図１４Ａ及び図１４Ｂの保持部７２Ｂと異なる。なお、図１４Ａ及び図１４Ｂの保持部７２Ｂは、第４側面Ｓ４を構成する平坦面Ｓ４ａと平坦面Ｓ４ｂとの間に形成されている１つの溝部ＧＲのみを有する。
【００７４】
図２１Ａ及び図２１Ｂのそれぞれにおける保持部７２Ｂは、１つの側面において接触部分ＺＮ１を挟むように非接触部分ＺＮ２が配置されている点で、図１４Ａ及び図１４Ｂの保持部７２Ｂと異なる。図１４Ａ及び図１４Ｂの保持部７２Ｂは、１つの側面（第４側面Ｓ４）において非接触部分ＺＮ２を挟むように２つの接触部分ＺＮ１が配置されている。
【００７５】
この構成により、図２１Ａ及び図２１Ｂのそれぞれにおける保持部７２Ｂは、図１４Ａ及び図１４Ｂにおける保持部７２Ｂに比べ、巻き付け部３３ｍに伝わった熱が保持部７２Ｂを介して散逸してしまうのを更に抑制できる。そのため、巻き付け部３３ｍは、半田付けに適した温度まで速やかに加熱され、且つ、適切な時間にわたって半田付けに適した温度で維持される。
【００７６】
なお、接触部分ＺＮ１及び非接触部分ＺＮ２のそれぞれは、１つの側面に複数形成されていてもよい。例えば、接触部分ＺＮ１と非接触部分ＺＮ２は、１つの側面において交互に並ぶように２つずつ配置されていてもよい。
【００７７】
次に、図２２Ａ〜図２２Ｄ、図２３Ａ〜図２３Ｄ、及び図２４を参照し、保持部７２の更に別の構成例について説明する。図２２Ａ〜図２２Ｄは、下側板ばね２６と巻き付け部３３ｍとを半田で接合する手順を説明する図である。図２２Ａは、レンズ保持部材２の斜視図である。図２２Ｂは、コイル３が巻き付けられたレンズ保持部材２の斜視図である。図２２Ｃは、更に下側板ばね２６Ａ及び下側板ばね２６Ｂが取り付けられたレンズ保持部材２の斜視図である。図２２Ｄは、更に半田ペーストＳＤＰが接続板部２６ｈに塗布されたときのレンズ保持部材２の斜視図である。図２３Ａ〜図２３Ｄは、コイル３の巻き始め側に対応する保持部７２Ａの拡大図である。具体的には、図２３Ａは図２２Ａの範囲Ｖ１の拡大図であり、図２３Ｂは図２２Ｂの範囲Ｖ２の拡大図であり、図２３Ｃは図２２Ｃの範囲Ｖ３の拡大図であり、図２３Ｄは図２２Ｄの範囲Ｖ４の拡大図である。図２４は、接続板部２６ｈに半田ペーストＳＤＰが塗布されたときの保持部７２ＡをＹ２側から見たときの保持部７２Ａの側面図である。以下では、主に保持部７２Ａに関連する構成を説明する。但し、以下の説明は、保持部７２Ｂに関連する構成にも同様に適用される。
【００７８】
図２２Ａ〜図２２Ｄの保持部７２Ａは、光軸方向ＪＤに垂直な方向に突出している点で、光軸方向ＪＤに突出している図９Ａの保持部７２Ａと異なる。
【００７９】
図２２Ａ〜図２２Ｄの保持部７２Ａは、図２３Ａに示すように、レンズ保持部材２の光軸方向ＪＤにおける一端部であるフランジ部５２の側端部から光軸方向ＪＤに垂直な方向に沿ってＸ１方向に突出するように構成されている。具体的には、保持部７２Ａは、中央部がくびれた形状をなし、４つの側面（第１側面Ｓ１〜第４側面Ｓ４）と端面ＳＴとを有している。なお、図２３Ａでは、第１側面Ｓ１及び第２側面Ｓ２は不可視である。
【００８０】
第１側面Ｓ１〜第３側面Ｓ３は平坦面で形成されている。第４側面Ｓ４及び端面ＳＴには溝部ＧＲが形成されている。溝部ＧＲは、保持部７２Ａの突出方向である光軸方向ＪＤに垂直な方向に沿って延在するとともに、保持部７２Ａの全長ＨＴｂにわたって連続するように形成されている。そのため、第４側面Ｓ４は、２つの平坦面Ｓ４ａ及びＳ４ｂに分割されている。また、端面ＳＴは、凹状の輪郭を有する平坦面で形成されている。
【００８１】
巻き付け部３３ｍは、図２３Ｂに示すように、４つの角部ＣＮと４つの辺部ＥＧとを形成するように保持部７２Ａに４ターン巻き付けられている。角部ＣＮは、第１角部ＣＮ１〜第４角部ＣＮ４を含む。辺部ＥＧは、第１辺部ＥＧ１〜第４辺部ＥＧ４を含む。第１辺部ＥＧ１は、第１側面Ｓ１と接触するように配置され、第２辺部ＥＧ２は、第２側面Ｓ２と接触するように配置され、第３辺部ＥＧ３は、第３側面Ｓ３と接触するように配置されている。第４辺部ＥＧ４は、第４側面Ｓ４を構成する平坦面Ｓ４ａ及びＳ４ｂと接触するように配置されている。なお、図２３Ｂでは、第２角部ＣＮ２、第１辺部ＥＧ１、及び第２辺部ＥＧ２は不可視である。また、図２３Ｂでは、明瞭化のため、４つの第４辺部ＥＧ４が１つの引き出し線によって特定されている。他の辺部ＥＧと角部ＣＮについても同様である。
【００８２】
保持部７２Ａの外周面を構成する第１側面Ｓ１〜第４側面Ｓ４のうち、延在部３３Ａの巻き付け部３３ｍによって覆われる被覆部分ＺＮは、巻き付け部３３ｍが接触している接触部分ＺＮ１と、巻き付け部３３ｍが接触していない非接触部分ＺＮ２とを有する。図２３Ａでは、接触部分ＺＮ１にはメッシュパターンが付され、非接触部分ＺＮ２には細かいドットパターンが付されている。図２３Ａから明らかなように、非接触部分ＺＮ２は、保持部７２Ａの外周面の一部である第４側面Ｓ４に設けられた溝部ＧＲによって形成されている。
【００８３】
溝部ＧＲは、図２３Ａに示すように、Ｚ軸方向に沿った長さである深さＤ１と、Ｙ軸方向に沿った長さである幅Ｗ１とを有する。幅Ｗ１は、望ましくは、深さＤ１よりも大きくなるように形成されている。非接触部分ＺＮ２に対向する巻き付け部３３ｍの面積、すなわち、巻き付け部３３ｍのうちの保持部７２Ａと接触しない部分の面積ができるだけ大きくなるようにするためである。
【００８４】
下側板ばね２６Ａは、図２３Ｃに示すように、延在部３３Ａが保持部７２Ａに巻き付けられた後で、レンズ保持部材２に取り付けられる。下側板ばね２６Ａは、半田ペーストＳＤＰが塗布される接続板部２６ｈを含む。接続板部２６ｈは、保持部７２ＡのＺ２側で、保持部７２Ａに巻き付けられた延在部３３Ａの巻き付け部３３ｍと隣り合うように配置されている。接続板部２６ｈは、望ましくは、巻き付け部３３ｍと接触しないように配置されるが、内側部分２６ｉがＺ２側に浮き上がらない限りにおいて、巻き付け部３３ｍに接触していてもよい。
【００８５】
本実施形態では、接続板部２６ｈは、図２４に示すように、保持部７２Ａの第４側面Ｓ４に対する接続板部２６ｈの高さＨ１が第４辺部ＥＧ４の高さＨ２よりも大きくなるように構成されている。また、接続板部２６ｈは、コイル３の巻回部１３に対する接続板部２６ｈの突出長さＰ１が保持部７２Ａの突出長さＰ２よりも小さく、且つ、巻き付け部３３ｍの突出長さＰ３よりも小さくなるように構成されている。
【００８６】
接続板部２６ｈに塗布された半田ペーストＳＤＰは、半田粉末（半田ＳＤ）とフラックスの混合物であり、レーザビームが照射されるとフラックスが蒸発し且つ半田ＳＤが溶融する。図２３Ｄは、レーザビームが照射される前の半田ペーストＳＤＰを示す。溶融した半田ＳＤは、図２４に示すように、その後固化して接続板部２６ｈと巻き付け部３３ｍとを接合する。
【００８７】
本実施形態では、下側板ばね２６Ａの接続板部２６ｈは、図２３Ｃに示すように、Ｚ軸方向において保持部７２Ａの第４側面Ｓ４に対向するように配置されている。すなわち、接続板部２６ｈは、保持部７２Ａに巻き付けられた巻き付け部３３ｍの第４辺部ＥＧ４の一部と対向するように配置されている。また、接続板部２６ｈには、図２３Ｃに示すように、第４辺部ＥＧ４の別の一部と対向する位置に、半円形状の切欠部２６ｈｋが設けられている。切欠部２６ｈｋは、接続板部２６ｈに塗布された半田ペーストＳＤＰが第４辺部ＥＧ４に付着し易くなるように形成されている。
【００８８】
半田ペーストＳＤＰは、図２３Ｄに示すように、複数の第４辺部ＥＧ４の少なくとも１つに付着するように接続板部２６ｈに塗布される。本実施形態では、半田ペーストＳＤＰは、図２３Ｄに示すように、４つの第４辺部ＥＧ４の全てに付着するように、接続板部２６ｈの両側（Ｚ１側及びＺ２側）に塗布されている。
【００８９】
上述のような構成を有するレンズ駆動装置１０１では、レンズ保持部材２に下側板ばね２６Ａが組み付けられた後で、巻き付け部３３ｍと隣り合うように配置された下側板ばね２６Ａの接続板部２６ｈに半田ペーストＳＤＰが塗布される。
【００９０】
その後、半田ペーストＳＤＰがレーザビームによって加熱されて接続板部２６ｈと巻き付け部３３ｍとが半田付けされる。図２３Ｄの破線円ＳＰは、半田ペーストＳＤＰに照射されるレーザビームのスポットを表している。半田ペーストＳＤＰに照射されるレーザビームを発生させるレーザ発生装置は、例えば、ＰＷＭ方式によって制御される。
【００９１】
具体的には、レーザビームによって半田ペーストＳＤＰが加熱されると、接続板部２６ｈ及び巻き付け部３３ｍは、半田ペーストＳＤＰを介した熱伝導によって加熱される。このとき、巻き付け部３３ｍを構成する第４辺部ＥＧ４は、図２３Ｂに示すように第４側面Ｓ４を構成する２つの平坦面Ｓ４ａ及びＳ４ｂに接触しているが、溝部ＧＲが形成された部分には接触していない。そのため、溝部ＧＲを有する保持部７２Ａは、溝部ＧＲを有しない構成に比べ、巻き付け部３３ｍに伝わった熱が保持部７２Ａを介して散逸してしまうのを抑制できる。そして、巻き付け部３３ｍは、半田付けに適した温度まで速やかに加熱され、且つ、適切な時間にわたって半田付けに適した温度で維持される。その結果、接続板部２６ｈと巻き付け部３３ｍとの温度差に起因するフラックスの突沸による半田ＳＤの散逸、及び、接続板部２６ｈでの半田ＳＤの不要な拡散が効果的に抑制される。また、半田ＳＤの巻き付け部３３ｍへの付着性が高められ、ひいては、半田付けによる巻き付け部３３ｍと下側板ばね２６Ａとの間の接合の信頼性が高められる。
【００９２】
溝部ＧＲは、保持部７２Ａの全長ＨＴｂ（図２３Ａ参照。）ではなく、延在部３３Ａの巻き付け部３３ｍによって覆われる被覆部分ＺＮの全長にわたって連続するように形成されていてもよい。具体的には、溝部ＧＲは、Ｘ軸方向における被覆部分ＺＮの全長に相当する長さの凹部であってもよい。
【００９３】
上述の通り、本実施形態に係るレンズ駆動装置１０１は、支持部材としてのベース部材１８と、レンズ体ＬＳを保持可能なレンズ保持部材２と、レンズ保持部材２に保持されたコイル３と、コイル３に対向する磁石５と、ベース部材１８とレンズ保持部材２とを繋ぐように配置され、レンズ保持部材２を光軸方向ＪＤへ移動可能に支持する板ばね６と、を備えている。コイル３は、レンズ保持部材２の外側に配置されるコイル本体部としての巻回部１３と、巻回部１３に繋がる延在部３３と、を有する。板ばね６としての下側板ばね２６Ｂは、レンズ保持部材２に固定される可動側支持部としての内側部分２６ｉと、ベース部材１８に固定される固定側支持部としての外側部分２６ｅと、内側部分２６ｉと外側部分２６ｅとの間に設けられる弾性腕部２６ｇと、を有する。レンズ保持部材２には、保持部７２Ｂが設けられ、コイル３の延在部３３としての延在部３３Ｂの一部は、保持部７２Ｂに巻かれて巻き付け部３３ｍを構成している。そして、巻き付け部３３ｍと下側板ばね２６Ｂの内側部分２６ｉとは半田付けによって接合される。保持部７２Ｂの外周面のうち、巻き付け部３３ｍに覆われる被覆部分としての被覆部分ＺＮは、例えば図１４Ａ及び図１４Ｂに示すように、巻き付け部３３ｍが接触している接触部分ＺＮ１と、巻き付け部３３ｍが接触していない非接触部分ＺＮ２と、を有する。
【００９４】
保持部７２Ｂが非接触部分ＺＮ２を有するこの構成では、下側板ばね２６Ｂの接続板部２６ｈに塗布された半田ペーストＳＤＰにレーザビームが照射されると、接続板部２６ｈ及び巻き付け部３３ｍは、半田ペーストＳＤＰとともに加熱される。巻き付け部３３ｍは、保持部７２Ｂの非接触部分ＺＮ２とは接触していないため、巻き付け部３３ｍに伝わった熱が保持部７２Ｂを介して過度に散逸してしまうのを抑制できる。そのため、巻き付け部３３ｍは、接続板部２６ｈとともに、半田付けに適した温度まで迅速に加熱され、且つ、適切な時間にわたって半田付けに適した温度で維持される。
【００９５】
半田ペーストＳＤＰに含まれる半田ＳＤは、レーザビームによって溶融され、例えば図１７Ｂに示すように、適切に加熱された接続板部２６ｈ及び巻き付け部３３ｍ（第４辺部ＥＧ４）の周囲に行き渡る。そして、溶融された半田ＳＤは、その後固化して接続板部２６ｈと巻き付け部３３ｍ（第４辺部ＥＧ４）とを接合する。
【００９６】
このように、レンズ駆動装置１０１は、保持部７２Ｂが非接触部分ＺＮ２を有しない場合に比べ、半田付けによるコイル３と下側板ばね２６との間の接合の信頼性を高めることができる。巻き付け部３３ｍが適切に加熱されて半田が付き易くなるためである。
【００９７】
非接触部分ＺＮ２は、望ましくは、保持部７２の外周面に設けられた溝部ＧＲによって形成されている。具体的には、非接触部分ＺＮ２は、例えば図１４Ａに示すように、コイル３の巻き終わり側に対応する保持部７２Ｂの第４側面Ｓ４における溝部ＧＲによって形成されている。この構成により、保持部７２Ｂは、外形寸法を増大させることなく、半田付けによるコイル３と下側板ばね２６との間の接合の信頼性を高めることができる。
【００９８】
下側板ばね２６の内側部分２６ｉは、望ましくは、半田ＳＤが設けられる、すなわち、半田ペーストＳＤＰが塗布される接続板部２６ｈを有する。接続板部２６ｈは、図１２Ａに示すように、くびれ部を介して内側部分２６ｉの他の部分に連結されている。内側部分２６ｉの他の部分に熱が散逸してしまうのを抑制するためである。そして、溝部ＧＲは、巻き付け部３３ｍを挟んで接続板部２６ｈと対向するように位置する保持部７２の側面に形成されている。具体的には、コイル３の巻き終わり側に対応する保持部７２Ｂの第４側面Ｓ４は、例えば図１６Ａに示すうように、巻き付け部３３ｍを挟んで接続板部２６ｈと対向するように配置されている。そして、第４側面Ｓ４には、例えば図１４Ａに示すように、溝部ＧＲが形成されている。この構成により、保持部７２Ｂは、４つの辺部ＥＧのうちで半田ペーストＳＤＰからの熱が最も伝わり易い第４辺部ＥＧ４から保持部７２Ｂに熱が散逸してしまうのを効果的に抑制できる。
【００９９】
保持部７２は、望ましくは、レンズ保持部材２の光軸方向ＪＤにおける一端部から、光軸方向ＪＤにおいて接続板部２６ｈを超えて突出するように形成された多角柱形状をなしている。そして、溝部ＧＲは、保持部７２における、接続板部２６ｈの側を向く側面に形成されている。具体的には、保持部７２Ｂは、図１７Ａに示すように、Ｚ軸方向において接続板部２６ｈを超えてＺ２側に突出するように形成された略四角柱形状をなしている。そして、溝部ＧＲは、保持部７２Ｂにおける、接続板部２６ｈの側を向く第４側面Ｓ４に形成されている。この構成により、保持部７２Ｂは、接続板部２６ｈよりも下側（Ｚ２側）で第４辺部ＥＧ４を露出させることができ、半田ペーストＳＤＰの第４辺部ＥＧ４への塗布を容易にすることができる。
【０１００】
溝部ＧＲは、望ましくは、幅が深さよりも大きくなるように構成されている。具体的には、溝部ＧＲは、例えば図１５Ａに示すように、幅Ｗ１が深さＤ１よりも大きくなるように構成されている。この構成により、保持部７２Ｂは、強度（体積）を確保しながらも、巻き付け部３３ｍ（第４辺部ＥＧ４）との接触面積を低減させることができる。なお、保持部７２Ｂの体積は、巻き付け部３３ｍを介して伝わる熱によって突出部（保持部７２Ｂ）が溶融されてしまうことのないように設定されている。
【０１０１】
溝部ＧＲは、保持部７２の突出方向に延在するとともに、被覆部分ＺＮの全長にわたって連続するように形成されていてもよい。或いは、溝部ＧＲは、保持部７２の突出方向に延在するとともに、保持部７２の全長にわたって連続するように形成されていてもよい。具体的には、溝部ＧＲは、図１４Ａに示すように、保持部７２Ｂの全長ＨＴにわたって連続するように形成されていてもよく、図１８に示すように、被覆部分ＺＮの全長ＨＴａにわたって連続するように形成されていてもよい。この構成により、保持部７２Ｂは、巻き付け部３３ｍ（第４辺部ＥＧ４）から保持部７２Ｂに熱が逃げてしまうのを効果的に抑制できる。また、保持部７２Ｂは、溝部ＧＲが保持部７２Ｂの端面ＳＴまで連続して形成される場合、射出成形等によって容易に形成され得る。金型からの取り外しが容易になるためである。
【０１０２】
以上、本発明の好ましい実施形態について詳説した。しかしながら、本発明は、上述した実施形態に制限されることはない。上述した実施形態は、本発明の範囲を逸脱することなしに、種々の変形及び置換等が適用され得る。また、上述の実施形態を参照して説明された特徴のそれぞれは、技術的に矛盾しない限り、適宜に組み合わされてもよい。
【０１０３】
例えば、上記実施形態では、保持部７２がレンズ保持部材２（フランジ部５２）の一端部から光軸方向ＪＤ又は光軸方向ＪＤに垂直な方向に突出する突出部から構成されているが、本発明は、この構成に限定されない。突出部としての保持部７２は、例えば、光軸方向ＪＤに対して傾斜した方向に突出していてもよい。
【０１０４】
また、上記実施形態では、フランジ部５２には、コイル３の延在部３３を通す切欠部５２ｋが２つ設けられているが、コイル３の巻回部１３を保持可能であれば、３つ以上の切欠部が設けられていてもよい。
【０１０５】
また、自動焦点調節機能を実現する上記実施形態では、下側板ばね２６Ａと延在部３３Ａとが電気的に接続され、且つ、下側板ばね２６Ｂと延在部３３Ｂとが電気的に接続される構成としたが、本発明は、この構成に限定されない。本発明は、例えば、手振れ補正機能付きのレンズ駆動装置においては、上側板ばね１６が２つに分割され、その一方が延在部３３Ａに電気的に接続され、且つ、他方が延在部３３Ｂに電気的に接続される構成を含んでいてもよい。この構成では、上側板ばね１６は、支持部材としての磁石ホルダとレンズ保持部材２とを繋ぐように配置され、且つ、レンズ保持部材２を光軸方向ＪＤへ移動可能に支持するように構成される。磁石ホルダは、レンズ保持部材２に保持されたコイル３に対向する磁石５を保持する部材であり、典型的には、サスペンションワイヤを介してベース部材１８に接続され、サスペンションワイヤにより、光軸方向ＪＤに垂直な方向に移動可能に支持されている。具体的には、磁石ホルダは、磁石５と、磁石５に対向するようにベース部材１８上に設置された、コイル３とは別のコイルとによって構成される駆動機構によって光軸方向ＪＤに垂直な方向に移動できるように構成されている。レンズ保持部材２の上端部側（Ｚ１側）に切欠部を有するフランジ部が設けられていてもよい。また、突出部としての保持部７２は、上側板ばね１６が配置される側であるレンズ保持部材２の光軸方向ＪＤにおける一端部である上端部から突出して設けられる。
【０１０６】
上記実施形態では、コイル３は、レンズ保持部材２の外周面側に八角環状に巻かれている。しかしながら、本発明はこの構成に限定されない。コイル３は、レンズ保持部材２の側面に保持される小判形状（オーバル形状）のコイル本体部、すなわち、中心軸が光軸方向ＪＤに垂直となるように配置されたコイル本体部を有するコイルであってもよい。具体的には、コイル３は、レンズ保持部材２の４つの側面のそれぞれに保持される４つの小判形状のコイル本体部を有するコイルであってもよく、レンズ保持部材２の４つの側面のうちの対向する２つのそれぞれに保持される２つの小判形のコイルであってもよい。
【０１０７】
また、上記実施形態では、ヨーク４とベース部材１８とで構成される筐体は、レンズ保持部材２の全体を収容している。但し、レンズ保持部材２の一部（例えば上部）は、筐体（ヨーク４）から外部に露出していてもよい。
【０１０８】
本願は、２０１８年１１月１４日に出願した日本国特許出願２０１８−２１３９５７号に基づく優先権を主張するものであり、この日本国特許出願の全内容を本願に参照により援用する。
【符号の説明】
【０１０９】
１・・・スペーサ  ２・・・レンズ保持部材  ２ｔ・・・突設部  ３・・・コイル  ４・・・ヨーク  ４Ａ・・・外壁部  ４Ｂ・・・上面部  ４ｓ・・・収納部  ５・・・磁石  ６・・・板ばね  ７、７Ａ、７Ｂ・・・端子  １２・・・筒状部  １２ｄ・・・台座部  １２ｄｈ・・・窪み  １２ｈ・・・庇部  １２ｊ・・・コイル支持部  １３・・・巻回部  １６・・・上側板ばね  １６ｂ・・・角部分  １６ｅ・・・外側部分  １６ｇ・・・弾性腕部  １６ｉ・・・内側部分  １６ｒ・・・桟部  １８・・・ベース部材  １８ｋ・・・開口  １８ｔ・・・突設部  ２６、２６Ａ、２６Ｂ・・・下側板ばね  ２６ｃ・・・内側接合部分  ２６ｄ・・・外側接合部分  ２６ｅ・・・外側部分  ２６ｇ・・・弾性腕部  ２６ｈ・・・接続板部  ２６ｉ・・・内側部分  ２６ｐ・・・第１連結部  ２６ｑ・・・第２連結部  ３３、３３Ａ、３３Ｂ・・・延在部  ３３ｃ・・・対向部  ３３ｋ・・・挿通部  ３３ｍ・・・巻き付け部  ５２・・・フランジ部  ５２ｋ・・・切欠部  ５７・・・接続部材  ７２、７２Ａ、７２Ｂ・・・保持部  １０１・・・レンズ駆動装置  ＡＤ・・・接着剤  ＣＮ・・・角部  ＣＮ１・・・第１角部  ＣＮ２・・・第２角部  ＣＮ３・・・第３角部  ＣＮ４・・・第４角部  ＥＧ・・・辺部  ＥＧ１・・・第１辺部  ＥＧ２・・・第２辺部  ＥＧ３・・・第３辺部  ＥＧ４・・・第４辺部  ＧＲ・・・溝部  ＧＲ１・・・第１溝部  ＧＲ２・・・第２溝部  ＧＲ３・・・第３溝部  ＧＲ４・・・第４溝部  ＪＤ・・・光軸方向  ＬＳ・・・レンズ体  ＭＫ・・・駆動機構  ＲＧ・・・固定側部材  Ｓ１・・・第１側面  Ｓ２・・・第２側面  Ｓ３・・・第３側面  Ｓ４・・・第４側面  Ｓ１ａ〜Ｓ４ａ、Ｓ１ｂ〜Ｓ４ｂ・・・平坦面  ＳＤ・・・半田  ＳＤＰ・・・半田ペースト  ＳＴ・・・端面  ＺＮ・・・被覆部分  ＺＮ１・・・接触部分  ＺＮ２・・・非接触部分
【図１】
2020100601.tif 000003
【図２Ａ】
2020100601.tif 000004
【図２Ｂ】
2020100601.tif 000005
【図３Ａ】
2020100601.tif 000006
【図３Ｂ】
2020100601.tif 000007
【図４Ａ】
2020100601.tif 000008
【図４Ｂ】
2020100601.tif 000009
【図５Ａ】
2020100601.tif 000010
【図５Ｂ】
2020100601.tif 000011
【図６Ａ】
2020100601.tif 000012
【図６Ｂ】
2020100601.tif 000013
【図７Ａ】
2020100601.tif 000014
【図７Ｂ】
2020100601.tif 000015
【図８Ａ】
2020100601.tif 000016
【図８Ｂ】
2020100601.tif 000017
【図９Ａ】
2020100601.tif 000018
【図９Ｂ】
2020100601.tif 000019
【図１０Ａ】
2020100601.tif 000020
【図１０Ｂ】
2020100601.tif 000021
【図１１Ａ】
2020100601.tif 000022
【図１１Ｂ】
2020100601.tif 000023
【図１２Ａ】
2020100601.tif 000024
【図１２Ｂ】
2020100601.tif 000025
【図１３Ａ】
2020100601.tif 000026
【図１３Ｂ】
2020100601.tif 000027
【図１４Ａ】
2020100601.tif 000028
【図１４Ｂ】
2020100601.tif 000029
【図１５Ａ】
2020100601.tif 000030
【図１５Ｂ】
2020100601.tif 000031
【図１６Ａ】
2020100601.tif 000032
【図１６Ｂ】
2020100601.tif 000033
【図１７Ａ】
2020100601.tif 000034
【図１７Ｂ】
2020100601.tif 000035
【図１８】
2020100601.tif 000036
【図１９Ａ】
2020100601.tif 000037
【図１９Ｂ】
2020100601.tif 000038
【図２０Ａ】
2020100601.tif 000039
【図２０Ｂ】
2020100601.tif 000040
【図２１Ａ】
2020100601.tif 000041
【図２１Ｂ】
2020100601.tif 000042
【図２２Ａ】
2020100601.tif 000043
【図２２Ｂ】
2020100601.tif 000044
【図２２Ｃ】
2020100601.tif 000045
【図２２Ｄ】
2020100601.tif 000046
【図２３Ａ】
2020100601.tif 000047
【図２３Ｂ】
2020100601.tif 000048
【図２３Ｃ】
2020100601.tif 000049
【図２３Ｄ】
2020100601.tif 000050
【図２４】
2020100601.tif 000051
【国際調査報告】
2020100601.tif 000052
2020100601.tif 000053
2020100601.tif 000054
2020100601.tif 000055